(57)【要約】【課題】室内の利用空間を従来に比し広く取ることができるユニットハウスの連棟構造及びその方法を提供する。【解決手段】標準ユニットハウス３，８の間に異形ユニットハウス６を設置する。このとき、異形ユニットハウス６の仮支持柱６ａは取り外さずに装着されたままとし、ブラケット１０の折曲部１０ａを標準ユニットハウス３の上梁３ｂ及び土台３ｃにボルト締めし、また、その折曲部１０ｂを標準ユニットハウス８の上梁８ｂ及び土台８ｃにボルト締めしてそれぞれ取り付ける。こうして異形ユニットハウス６を標準ユニットハウス３，８に連棟させた後、仮支持柱６ａを取り外す。異形ユニットハウス６を本連棟方法で連棟させた場合の集合部位の領域Ｐ（図３（Ａ））は、従来の連棟方法で連棟させた場合の集合部位の領域Ｑ（図３（Ｂ））に比べて狭まり、結果として室内の利用空間を広めることができる。【選択図】  図３
2004238954.tif 000002
【特許請求の範囲】
【請求項１】
平面視長方形状をなす標準ユニットハウスと、その梁が前記標準ユニットハウス間の挟角に等しく接合され当該標準ユニットハウス間に設置される異形ユニットハウスとで構成されたユニットハウスにおける、前記標準ユニットハウスと異形ユニットハウスとの連棟方法であって、前記異形ユニットハウスの、前記梁が接合する部位に設けられた仮支持柱を取り外し、前記梁を、当該梁に隣接する前記標準ユニットハウスの梁に接合して前記標準ユニットハウスと異形ユニットハウス間を連棟するようにしたことを特徴とするユニットハウスの連棟方法。
【請求項２】
平面視長方形状をなす標準ユニットハウスと、その梁が前記標準ユニットハウス間の挟角に等しく接合され当該標準ユニットハウス間に設置される異形ユニットハウスとで構成されたユニットハウスにおける、前記標準ユニットハウスと異形ユニットハウスとの連棟構造であって、前記異形ユニットハウスの、前記梁が接合する部位の先端部に、前記挟角と同一角度をなす折曲部が形成されたブラケットを取り付け、該ブラケットの折曲部のそれぞれを前記標準ユニットハウスの梁に係止させてなることを特徴とするユニットハウスの連棟構造。
【発明の詳細な説明】
【０００１】
【発明が属する技術分野】
本発明は、ユニットハウスを構成する標準ユニットハウスに、異形ユニットハウスを連棟させる場合の連棟構造及びその連棟方法に関する。
【０００２】
【従来の技術】
ユニットハウスは、予め工場で内装や外装が仕上げられた複数のユニットを、運搬された現地で組立てることにより、即ち、連棟させることにより現地での据付けが容易な、例えば住宅ハウス等として供されるものである。
このようなユニットハウスを構成する複数のユニットを連棟させる方法には、従来から、例えば図５に示すように、住宅ユニットの天井梁１００の下面と、隣接する住宅ユニットの天井梁１００の下面とを接続する場合、住宅ユニットの天井梁１００の下面に設けられた通孔に、接続金具１０１の鋼板１０１ａに溶接された４本の螺子棒１０１ｂのうちの２本を挿入する一方、隣接する住宅ユニットの天井梁１００の下面に設けられた通孔に、螺子棒１００ａの残りの２本を挿入し、これら螺子棒１０１ｂにナット１０２を螺着させて天井梁１００とこれに隣接する天井梁１００とを固定する方法が知られている。（例えば、特許文献１参照）。
【０００３】
【特許文献１】
特開平４−１３６３４２号公報（第３，４頁、第１，２図）
【０００４】
【発明が解決しようとする課題】
しかしながら、上述した従来の連棟方法は、単に接続金具で接続するだけの方法であり、上記ユニットが通常の平面視長方形状をなす標準ユニットハウスであれば、互いに隣接するユニットの支持柱（上記例で言えば、第３図の柱１２）同士が集合する状態となっても、ある程度許容され得るが、標準ユニットハウス間に標準ユニットハウスとは異なる形状の異形ユニットハウスを連棟させる場合には、これらユニットの支持柱が集合する部位の領域が大きくなるために、室内の利用空間が広く取れなくなるという問題を引き起こす。
【０００５】
本発明の目的は、室内の利用空間を従来に比べて広く取ることができるようにしたユニットハウスの連棟構造及びその方法を提供することにある。
【０００６】
【課題を解決するための手段】
上記課題を解決するために、本発明の請求項１に係るユニットハウスの連棟方法は、平面視長方形状をなす標準ユニットハウスと、その梁が標準ユニットハウス間の挟角に等しく接合され当該標準ユニットハウス間に設置される異形ユニットハウスとで構成されたユニットハウスの、標準ユニットハウスと異形ユニットハウスとを連棟する方法で、異形ユニットハウスの、上記梁が接合する部位に設けられた仮支持柱を取り外し、上記梁を、当該梁に隣接する標準ユニットハウスの梁に接合して当該標準ユニットハウスと上記異形ユニットハウス間を連棟するようにしたものである。このように、異形ユニットハウス側の仮支持柱を取り外し、異形ユニットハウスの梁を標準ユニットハウスの梁に接合する方法を採ることにより、異形ユニットハウスを含むユニットハウスおいては、その室内の利用空間を従来のような単に接続金具で接続する方法に比べて、広く取ることが可能になる。
ところで、異形ユニットハウスの仮支持柱は、予め工場で仕上げられたものをユニットとして現地に運搬するなどするためには必要不可欠のものであるとともに、着脱容易に取り付けられていることが好ましい。また、上記挟角は、鋭角に形成される場合に限らず鈍角に形成される場合もあり得る。
【０００７】
また、本発明の請求項２に係るユニットハウスの連棟構造は、平面視長方形状をなす標準ユニットハウスと、その梁が前記標準ユニットハウス間の挟角に等しく接合され当該標準ユニットハウス間に設置される異形ユニットハウスとで構成されたユニットハウスの、標準ユニットハウスと異形ユニットハウスとを連棟する場合、異形ユニットハウスの、上記梁が接合する部位の先端部に、上記挟角と同一角度をなす折曲部が形成されたブラケットを取り付け、かかるブラケットの折曲部のそれぞれを標準ユニットハウスの梁に係止させるようにしたものである。かかる連棟構造によれば、標準ユニットハウスと異形ユニットハウスの梁同士がブラケットを介して接合する形態をなすので、ユニットハウスの室内の利用空間を、上述した従来の方法に比べて広く取ることが可能になる。
【０００８】
【発明の実施の形態】
本発明の実施の形態に係るユニットハウスの連棟構造を図１〜４を参照して説明する。
本連棟構造のユニットハウスは、平面視長方形状をなす標準ユニットハウス１〜４及び７〜９と、本実施の形態では平面視三角形状をなす異形ユニットハウス５，６とが、図１に示すような態様で連棟されてなるものであるが、これらユニットハウス１〜９のうちの標準ユニットハウス２，３，８と異形ユニットハウス５，６間の連棟に際して本連棟構造が用いられている。
即ち、本連棟構造は、図２（Ａ）に示すような、予め工場で内装や外装が仕上げられてそれ自体でユニットハウスを構成できる標準ユニットハウス２，３，８や異形ユニットハウス５，６を、図２（Ｂ）に示すような形態に連棟させる場合の、図２（Ｂ）中の矢印Ｂ（図１では矢印Ａ）に示す支持柱の集合部位に用いられ、かかる集合部位は、標準ユニットハウス２，３，８の支持柱２ａ，３ａ，８ａ、及び異形ユニットハウス５，６の支持柱５ａ，６ａが集合するところであり、室内の利用空間を狭める原因の一つとなっているところである。但し、異形ユニットハウス６の支持柱６ａは、後述のように着脱可能に取り付けられているもので、以下では仮支持柱６ａと称することにする。
【０００９】
本連棟構造は、上記集合部位において、標準ユニットハウス３，８の間に異形ユニットハウス６を連棟させるときに、標準ユニットハウス３，８間の挟角に等しく接合された異形ユニットハウス６の上梁６ｂ１，６ｂ２及び土台６ｃ１，６ｃ２に対し、これら接合部位の先端に、図３（Ａ），図４に示すように、上記挟角と同一角度をなすように折曲された折曲部１０ａ，１０ｂを有するブラケット１０をそれぞれ取り付け、このうちの各折曲部１０ａを標準ユニットハウス３の上梁３ｂ及び土台３ｃにボルト締めしてそれぞれ取り付ける（係止する）一方、折曲部１０ｂを標準ユニットハウス８の上梁８ｂ及び土台８ｃ（図２参照）にボルト締めしてそれぞれ取り付け（係止し）、異形ユニットハウス６を連棟した後に、その仮支持柱６ａが取り外される構造となっている。
【００１０】
次に、本ユニットハウスにおいて、標準ユニットハウス３，８の間に異形ユニットハウス６を連棟させるときの連棟方法を説明する。
まず、標準ユニットハウス３，８の間に異形ユニットハウス６を、その上梁６ｂ１、土台６ｃ１が標準ユニットハウス３の上梁３ｂ、土台３ｃにそれぞれ当接し、その上梁６ｂ２、土台６ｃ２が標準ユニットハウス８の上梁８ｂ、土台８ｃにそれぞれ当接する状態にして設置する。このとき、異形ユニットハウス６の仮支持柱６ａは取り外さずに装着されたままとする。次に、各ブラケット１０の折曲部１０ａを標準ユニットハウス３の上梁３ｂ及び土台３ｃにボルト締めしてそれぞれ取り付ける一方、その折曲部１０ｂを標準ユニットハウス８の上梁８ｂ及び土台８ｃにボルト締めしてそれぞれ取り付ける。このようにして異形ユニットハウス６を標準ユニットハウス３，８に連棟させた後、金具などを介して上梁６ｂ１，６ｂ２及び土台６ｃ１，６ｃ２の接合部位にそれぞれボルト締めされている上記仮支持柱６ａを取り外す。
このようにして異形ユニットハウス６を本連棟方法で連棟させた場合の上記集合部位の領域Ｐ（図３（Ａ））は、異形ユニットハウス６を従来の連棟方法で連棟させた場合の上記集合部位の領域Ｑ（図３（Ｂ））に比べて狭まり、結果として室内の利用空間を広めることができるようになる。また、これに伴って領域Ｐに対する化粧材取付施工に要する時間が短縮される。
【００１１】
【発明の効果】
本発明のユニットハウスの連棟構造及びその方法によれば、ユニットハウスにおける室内の利用空間を従来に比ベて広く取ることが可能になる。
【図面の簡単な説明】
【図１】本発明の実施の形態に係るユニットハウスの連棟構造の平面図である。
【図２】本連棟構造の連棟前及び連棟後の説明図である。
【図３】図２におけるＢ部の拡大平面図である。
【図４】本連棟方法を説明するための分解斜視図である。
【図５】従来の連棟構造図である。
【符号の説明】
１〜４及び７〜９      標準ユニットハウス
３ｂ，８ｂ            上梁
３ｃ，８ｃ            土台
５，６                異形ユニットハウス
６ａ                  仮支持柱
６ｂ１，６ｂ２          上梁
６ｃ１，６ｃ２          土台
１０                  ブラケット
１０ａ，１０ｂ        折曲部
【図１】
2004238954.tif 000003
【図２】
2004238954.tif 000004
【図３】
2004238954.tif 000005
【図４】
2004238954.tif 000006
【図５】
2004238954.tif 000007